(57)【要約】【課題】回転塗布体を備える塗布容器であって、姿勢によらず内容物を塗布しやすい塗布容器を提供する。【解決手段】本発明の塗布容器（１０）の一つの態様は、内容物が収容される内容器（２２）、および内容器が内装される外容器（２１）を備える容器本体（２０）と、容器本体の口部に装着された中栓（４０）と、を備え、中栓は、内容器の内部に連通する連通口（４６ａ）を有する保持筒部（４６）と、保持筒部の内部に回転可能に保持されると共に、一部が保持筒部の外部に突出し中栓の外部に露出する回転塗布体（４２）と、を備え、内容器は、内容物の減少に伴い減容変形し、外容器は、スクイズ変形可能とされ、外容器には、容器本体の外部と外容器の内部とを連通させ、外容器と内容器との間に空気を吸入する吸気孔（２１ｂ）が形成されていることを特徴とする。【選択図】図１
2019209973.tif 000002
【特許請求の範囲】
【請求項１】
内容物が収容される内容器、および前記内容器が内装される外容器を備える容器本体と、
前記容器本体の口部に装着された中栓と、
を備え、
前記中栓は、
前記内容器の内部に連通する連通口を有する保持筒部と、
前記保持筒部の内部に回転可能に保持されると共に、一部が前記保持筒部の外部に突出し前記中栓の外部に露出する回転塗布体と、
を備え、
前記内容器は、前記内容物の減少に伴い減容変形し、
前記外容器は、スクイズ変形可能とされ、
前記外容器には、前記容器本体の外部と前記外容器の内部とを連通させ、前記外容器と前記内容器との間に空気を吸入する吸気孔が形成されていることを特徴とする塗布容器。
【請求項２】
前記連通口を介した前記内容器の内部と前記保持筒部の内部との連通およびその遮断を切り替える第１弁体を備え、
前記第１弁体は、前記内容器の内部から前記保持筒部の内部への前記内容物の移動を許容し、前記保持筒部の内部から前記内容器の内部への前記内容物の移動を阻止する逆止弁であることを特徴とする請求項１に記載の塗布容器。
【請求項３】
前記吸気孔を介した前記容器本体の外部と前記外容器の内部との連通およびその遮断を切り替える第２弁体を備え、
前記第２弁体は、前記外容器がスクイズ変形するときに前記容器本体の外部と前記外容器の内部とを遮断し、スクイズ変形した前記外容器が復元変形するときに前記容器本体の外部と前記外容器の内部とを連通させることを特徴とする請求項１または２に記載の塗布容器。
【請求項４】
前記容器本体の口部に装着された内キャップを備え、
前記中栓は、前記内キャップを介して前記容器本体の口部に装着され、
前記吸気孔は、前記外容器の口部に形成され、
前記内キャップには、前記内キャップの外部と前記吸気孔とを連通させる第１外気導入孔が形成され、
前記中栓には、前記中栓の外部と前記第１外気導入孔とを連通させる第２外気導入孔が形成され、
前記第２弁体は、前記第１外気導入孔と前記第２外気導入孔との連通およびその遮断を切り替えることを特徴とする請求項３に記載の塗布容器。
【請求項５】
前記外容器の底部を覆って前記容器本体に装着された底キャップを備え、
前記吸気孔は、前記外容器の底部に形成され、
前記底キャップには、前記底キャップの外部と前記吸気孔とを連通させる第３外気導入孔が形成され、
前記第２弁体は、前記底キャップに装着され、前記吸気孔と前記第３外気導入孔との連通およびその遮断を切り替えることを特徴とする請求項３に記載の塗布容器。
【請求項６】
前記容器本体の口部に装着された連結筒を備え、
前記連結筒は、容器軸方向に対して傾いた方向に延びる傾斜部を備え、
前記中栓は、前記傾斜部の先端部に取り付けられ、前記連結筒を介して前記容器本体の口部に装着されていることを特徴とする請求項１から５のいずれか一項に記載の塗布容器。
【請求項７】
前記容器本体の口部に着脱自在に装着され、前記中栓を覆う外キャップを備え、
前記回転塗布体は、前記外キャップにより容器軸方向に沿った前記容器本体の内部側に押圧されて前記保持筒部の内面に対して押し付けられ、前記連通口を閉塞することを特徴とする請求項１から６のいずれか一項に記載の塗布容器。
【発明の詳細な説明】
【技術分野】
【０００１】
本発明は、塗布容器に関する。
【背景技術】
【０００２】
例えば特許文献１に示されるような回転塗布体を備える塗布容器が知られている。このような塗布容器において回転塗布体は、容器本体の内部に連通する連通口を備える保持筒部の内部に回転可能に保持されている。使用者は、回転塗布体を被塗布部に押し当てて回転させることで、保持筒部の内部において回転塗布体に付着した内容物を被塗布部に塗布することができる。
【先行技術文献】
【特許文献】
【０００３】
【特許文献１】特開２０１２−２３２７７６号公報
【発明の概要】
【発明が解決しようとする課題】
【０００４】
しかし、上記のような塗布容器においては、塗布容器の姿勢によって内容物が容器本体から保持筒部の内部に流入しにくい場合があった。そのため、塗布容器の姿勢によっては、保持筒部の内部において回転塗布体に内容物が付着せず、回転塗布体を被塗布部に押し当てて回転させても、被塗布部に内容物を塗布しにくい場合があった。
【０００５】
本発明の一つの態様は、上記事情に鑑みて、回転塗布体を備える塗布容器であって、姿勢によらず内容物を塗布しやすい塗布容器を提供することを目的の一つとする。
【課題を解決するための手段】
【０００６】
本発明の塗布容器の一つの態様は、内容物が収容される内容器、および前記内容器が内装される外容器を備える容器本体と、前記容器本体の口部に装着された中栓と、を備え、前記中栓は、前記内容器の内部に連通する連通口を有する保持筒部と、前記保持筒部の内部に回転可能に保持されると共に、一部が前記保持筒部の外部に突出し前記中栓の外部に露出する回転塗布体と、を備え、前記内容器は、前記内容物の減少に伴い減容変形し、前記外容器は、スクイズ変形可能とされ、前記外容器には、前記容器本体の外部と前記外容器の内部とを連通させ、前記外容器と前記内容器との間に空気を吸入する吸気孔が形成されていることを特徴とする。
【０００７】
本発明の塗布容器の一つの態様によれば、内容器が内容物の減少に伴い減容変形する。そのため、内容物が減少しても、内容器内に空気が流入することが抑制され、内容器内が減少した容積に応じて内容物で満たされた状態を維持できる。これにより、内容物の減少度合いによらず、外容器のスクイズ変形によって内容器を僅かにでも変形させれば、内圧の上昇によって容易に内容物を内容器から吐出させることができる。したがって、使用者は、内容器内の内容物を、連通口を介して容易に保持筒部の内部に送ることができる。その結果、使用者は、例えば塗布容器を倒立姿勢としなくても、内容物の塗布を容易に行うことができる。これにより、本発明の塗布容器の一つの態様によれば、姿勢によらず内容物を塗布しやすい塗布容器が得られる。本発明の塗布容器の一つの態様は、例えば、正立姿勢、倒立姿勢、および横向きの姿勢等において、内容物を塗布できる。
また、内容器内に空気が流入することを抑制できるため、空気による内容物の劣化を抑制することができる。
【０００８】
前記連通口を介した前記内容器の内部と前記保持筒部の内部との連通およびその遮断を切り替える第１弁体を備え、前記第１弁体は、前記内容器の内部から前記保持筒部の内部への前記内容物の移動を許容し、前記保持筒部の内部から前記内容器の内部への前記内容物の移動を阻止する逆止弁である構成としてもよい。
【０００９】
この構成によれば、外容器をスクイズ変形させたときには、内容器の内部から内容物を吐出させることができる一方で、外容器が復元変形するときには、第１弁体によって内容器の内部に空気が流入することをより抑制することができる。これにより、内容器の内部に内容物が満たされた状態をより好適に維持することができ、内容物をより塗布しやすくできる。また、内容物が劣化することをより抑制できる。
また、第１弁体によって、内容器内から一度吐出された内容物が再び内容器内に戻ることを阻止できる。そのため、内容器内の内容物が劣化することをより抑制できる。
【００１０】
前記吸気孔を介した前記容器本体の外部と前記外容器の内部との連通およびその遮断を切り替える第２弁体を備え、前記第２弁体は、前記外容器がスクイズ変形するときに前記容器本体の外部と前記外容器の内部とを遮断し、スクイズ変形した前記外容器が復元変形するときに前記容器本体の外部と前記外容器の内部とを連通させる構成としてもよい。
【００１１】
この構成によれば、外容器をスクイズ変形させるときには、外容器と内容器との間の空気が吸気孔を介して容器本体の外部に流出することを阻止できる。これにより、外容器をスクイズ変形させるときに、外容器と内容器との間の空気の圧力を保持することができる。したがって、内容器が減容変形して外容器の内面から大きく離れた場合であっても、外容器を大きく変形させることなく、空気を介して内容器を容易に変形させることができる。一方、外容器が復元変形するときには、容器本体の外部の空気を外容器と内容器との間に流入させることができるため、内容器が減容変形した状態を好適に維持することができる。
【００１２】
前記容器本体の口部に装着された内キャップを備え、前記中栓は、前記内キャップを介して前記容器本体の口部に装着され、前記吸気孔は、前記外容器の口部に形成され、前記内キャップには、前記内キャップの外部と前記吸気孔とを連通させる第１外気導入孔が形成され、前記中栓には、前記中栓の外部と前記第１外気導入孔とを連通させる第２外気導入孔が形成され、前記第２弁体は、前記第１外気導入孔と前記第２外気導入孔との連通およびその遮断を切り替える構成としてもよい。
【００１３】
この構成によれば、使用者が塗布容器を使用する際に、例えば使用者の手等によって第２外気導入孔が塞がれることを抑制できる。そのため、外容器と内容器との間に好適に空気を流入させやすく、内容器を減容変形したままの状態に好適に維持しやすい。
【００１４】
前記外容器の底部を覆って前記容器本体に装着された底キャップを備え、前記吸気孔は、前記外容器の底部に形成され、前記底キャップには、前記底キャップの外部と前記吸気孔とを連通させる第３外気導入孔が形成され、前記第２弁体は、前記底キャップに装着され、前記吸気孔と前記第３外気導入孔との連通およびその遮断を切り替える構成としてもよい。
【００１５】
この構成によれば、中栓に外気導入孔を形成することなく、かつ、第２弁体を中栓に設けることなく、外容器と内容器との間に空気を流入させることができる。これにより、中栓の形状を、簡単化しやすい。したがって、中栓を径方向に小型化しやすく、塗布容器全体の外径を小さくすることができる。なお、内キャップが設けられる場合には、内キャップも径方向に小型化しやすい。
【００１６】
前記容器本体の口部に装着された連結筒を備え、前記連結筒は、容器軸方向に対して傾いた方向に延びる傾斜部を備え、前記中栓は、前記傾斜部の先端部に取り付けられ、前記連結筒を介して前記容器本体の口部に装着されている構成としてもよい。
【００１７】
この構成によれば、中栓を容器軸に対して傾けて配置することができる。これにより、塗布容器を傾けることなく、回転塗布体の一部を被塗布部に押し当てやすくできる。したがって、内容物をより塗布しやすくできる。
【００１８】
前記容器本体の口部に着脱自在に装着され、前記中栓を覆う外キャップを備え、前記回転塗布体は、前記外キャップにより容器軸方向に沿った前記容器本体の内部側に押圧されて前記保持筒部の内面に対して押し付けられ、前記連通口を閉塞する構成としてもよい。
【００１９】
この構成によれば、外キャップを装着することにより、連通口から保持筒部の内部に内容物が漏れることを抑制できる。また、内容物が塗布容器の外部に漏れることを抑制できる。
【発明の効果】
【００２０】
本発明の一つの態様によれば、回転塗布体を備える塗布容器であって、姿勢によらず内容物を塗布しやすい塗布容器が提供される。
【図面の簡単な説明】
【００２１】
【図１】図１は、第１実施形態の塗布容器の一部を示す断面図である。
【図２】図２は、第２実施形態の塗布容器の一部を示す断面図である。
【図３】図３は、第３実施形態の塗布容器の一部を示す断面図である。
【発明を実施するための形態】
【００２２】
以下、図面を参照しながら、本発明の実施形態に係る塗布容器について説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００２３】
＜第１実施形態＞
図１に示すように、本実施形態の塗布容器１０は、内容物が収容される有底筒状の容器本体２０と、容器本体２０の口部２０ａに装着された内キャップ３０と、内キャップ３０を介して容器本体２０の口部２０ａに装着された中栓４０と、内キャップ３０に着脱自在に装着され、中栓４０を覆う有頂筒状の外キャップ５０と、を備えている。なお、内容物は、特に限定されないが、例えば液体状の内容物である。
以下の説明においては、容器本体２０の中心軸を容器軸Ｏと呼び、容器軸Ｏに沿った容器本体２０の口部２０ａ側を上側と呼び、容器軸Ｏに沿った容器本体２０の図示しない底部側を下側と呼ぶ。また、容器軸Ｏに直交する方向を径方向と呼び、容器軸Ｏ回りに周回する方向を周方向と呼ぶ。
【００２４】
容器本体２０は、内容物が収容される内容器２２と、内容器２２が内装される外容器２１と、を備えている。容器本体２０は、例えばブロー成形等により形成され、外容器２１の内面に内容器２２の外面が剥離可能に積層された積層剥離型容器（デラミボトル）とされている。
ブロー成形としては、例えば押出成形等によって二重（内外）に組み合わされた積層パリソンを形成し、この積層パリソンをブロー成形することで容器本体２０を形成してもよい（押出ブロー成形）。また、射出成形等によって外容器用のプリフォーム、および内容器用のプリフォームを各別に形成しておき、これらを二重（内外）に組み合わせて一体に二軸延伸ブロー成形することで容器本体２０を形成してもよい。
なお、外容器２１用のプリフォームを先に二軸延伸ブロー成形して外容器２１を形成した後、内容器用のプリフォームを外容器２１の内部に配置し、その後、内容器用のプリフォームを二軸延伸ブロー成形することで容器本体２０を形成してもよい。
【００２５】
なお、内容器２２および外容器２１は合成樹脂製とされ、剥離可能な組み合わせであれば互いに同材質でもよいし異材質でもよい。合成樹脂材料の一例としては、例えば、ＰＥＴ（ポリエチレンテレフタレート）、ＰＰ（ポリプロピレン）、ＰＥ（ポリエチレン）、ナイロン（ポリアミド）、ＥＶＯＨ（エチレン−ビニルアルコール共重合体）等が挙げられる。これらの合成樹脂材料の中から、外容器２１と内容器２２とは剥離可能（相溶性がない）となる組み合わせで形成される。
【００２６】
容器本体２０は、口部２０ａ、肩部２０ｂ、胴部２０ｃ、および不図示の底部が上側から下側に向けてこの順に連設された有底筒状に形成されている。肩部２０ｂは、上側から下側に向かうに従い漸次、拡径している。胴部２０ｃは、例えば横断面視円形状に形成されている。
なお、容器本体２０を構成する外容器２１はスクイズ変形可能とされ、この外容器２１のスクイズ変形に伴って内容器２２は減容変形する。よって、外容器２１のうち少なくとも胴部２０ｃに位置する部分は、径方向内側（容器内側）に向けて弾性変形可能とされている。
【００２７】
容器本体２０の口部２０ａは、肩部２０ｂの上端開口部から上方に向けて延びている。容器本体２０の口部２０ａは、内容器２２の口部２２ａと外容器２１の口部２１ａとが積層された構成とされている。
内容器２２の口部２２ａの上端部には、径方向外側に突出する環状の折り返し部が形成され、この折り返し部が外容器２１の口部２１ａの上端開口縁に配置されている。そのため、外容器２１の口部２１ａは、内容器２２によって閉塞されている。
外容器２１の口部２１ａには、容器本体２０の外部と外容器２１の内部とを連通させる吸気孔２１ｂが形成されている。吸気孔２１ｂは、口部２１ａのうち内キャップ３０が螺着される雄ねじ部よりも下側の部分に形成されている。本実施形態において吸気孔２１ｂは、例えば、周方向に沿って複数形成されている。吸気孔２１ｂは、後述する第１外気導入孔３２ａおよび第２外気導入孔４５ａを経由して、外容器２１と内容器２２との間に空気を吸入するための孔である。
【００２８】
内キャップ３０は、容器軸Ｏと同軸に配置された円筒状である。内キャップ３０は、容器本体２０の口部２０ａに螺着されている。内キャップ３０は、外側周壁部３１と、内側周壁部３２と、第１円環状部３３と、外側連結筒部３４と、第２円環状部３５と、第１嵌合筒部３６と、内側連結筒部３７と、支持凸部３８と、を備えている。
外側周壁部３１は、下側に開口し、容器軸Ｏと同軸に配置された円筒状である。外側周壁部３１は、容器本体２０における口部２０ａの径方向外側から容器本体２０における胴部２０ｃの上部の径方向外側まで容器軸Ｏ方向に延びている。外側周壁部３１の下側部分は、外側周壁部３１の上側部分よりも内径および外径が大きい。外側周壁部３１の下端部は、容器本体２０における胴部２０ｃに外嵌されている。
【００２９】
内側周壁部３２は、下側に開口し、容器軸Ｏと同軸に配置された円筒状である。内側周壁部３２は、外側周壁部３１の径方向内側に位置する。内側周壁部３２は、容器本体２０の口部２０ａに螺着されている。内側周壁部３２の下端部は、肩部２０ｂの上側に隙間を空けて対向して配置されている。内側周壁部３２の上端部は、外側周壁部３１の上端部よりも上側に位置する。内側周壁部３２の上端部には、内側周壁部３２の内部と内側周壁部３２の外部とを繋ぐ第１外気導入孔３２ａが形成されている。本実施形態において第１外気導入孔３２ａは、例えば、周方向に沿って複数形成されている。第１外気導入孔３２ａは、内側周壁部３２の内部を介して吸気孔２１ｂと連通している。すなわち、内キャップ３０には、内キャップ３０の外部と吸気孔２１ｂとを連通させる第１外気導入孔３２ａが形成されている。
【００３０】
第１円環状部３３は、外側周壁部３１の上端部から径方向内側に延びて内側周壁部３２の外周面と繋がっている。第１円環状部３３は、容器軸Ｏと同軸に配置された円環状である。
外側連結筒部３４は、第１円環状部３３から上側に突出している。外側連結筒部３４は、上側に開口し、容器軸Ｏと同軸に配置された円筒状である。外側連結筒部３４は、外側周壁部３１よりも径方向内側で、内側周壁部３２よりも径方向外側に位置する。外側連結筒部３４の上端部は、内側周壁部３２の上端部よりも上側に位置する。
【００３１】
第２円環状部３５は、内側周壁部３２の上端部から径方向内側に延びている。第２円環状部３５は、中央に内容物導入孔３５ａを有し、容器軸Ｏと同軸に配置された円環状である。
第１嵌合筒部３６は、第２円環状部３５から下側に突出している。第１嵌合筒部３６は、下側に開口し、容器軸Ｏと同軸に配置された円筒状である。第１嵌合筒部３６は、内側周壁部３２の径方向内側に位置する。第１嵌合筒部３６は、容器本体２０の口部２０ａに内嵌されている。より詳細には、第１嵌合筒部３６は、内容器２２の口部２２ａに内嵌されている。第１嵌合筒部３６の外周面と口部２２ａの内周面との間は、封止されている。
【００３２】
内側連結筒部３７は、第２円環状部３５から上側に突出している。内側連結筒部３７は、上側に開口し、容器軸Ｏと同軸に配置された円筒状である。内側連結筒部３７は、内側周壁部３２よりも径方向内側で、第１嵌合筒部３６よりも径方向外側に位置する。内側連結筒部３７は、外側連結筒部３４よりも径方向内側に位置する。内側連結筒部３７の上端部は、外側連結筒部３４の上端部よりも上側に位置する。
支持凸部３８は、内側連結筒部３７の外周面のうち下側の部分から径方向外側に突出している。本実施形態において支持凸部３８は、例えば、周方向に沿って複数設けられている。なお、支持凸部３８は、周方向に沿った円環状であってもよい。
【００３３】
中栓４０は、内キャップ３０を介して容器本体２０の口部２０ａに装着された中栓本体４１と、中栓本体４１に回転可能に保持された回転塗布体４２と、を備えている。
中栓本体４１は、内キャップ３０の上側に位置する。本実施形態において中栓本体４１は、アンダーカット嵌合により内キャップ３０に装着されている。中栓本体４１は、天壁部４５と、装着筒部４４と、第２嵌合筒部４３と、保持筒部４６と、を備えている。
【００３４】
天壁部４５は、容器軸Ｏと同軸に配置された円環状である。天壁部４５は、内キャップ３０の上側を覆っている。天壁部４５の径方向内縁部は、内側連結筒部３７の上側に位置する。天壁部４５の径方向外縁部は、外側周壁部３１の上側に位置する。天壁部４５には、天壁部４５を容器軸Ｏ方向に貫通する第２外気導入孔４５ａが形成されている。本実施形態において第２外気導入孔４５ａは、例えば、周方向に沿って複数形成されている。
【００３５】
装着筒部４４は、天壁部４５の径方向外縁部から下側に延びている。装着筒部４４は、下側に開口し、容器軸Ｏと同軸に配置された円筒状である。装着筒部４４は、外側連結筒部３４に外嵌され、アンダーカット嵌合により外側連結筒部３４に装着されている。外側連結筒部３４は、外側周壁部３１の上側に位置する。
第２嵌合筒部４３は、天壁部４５の径方向内縁部から下側に突出している。第２嵌合筒部４３は、下側に開口し、容器軸Ｏと同軸に配置された円筒状である。第２嵌合筒部４３の下端部は、装着筒部４４の下端部よりも上側に位置する。第２嵌合筒部４３は、内側連結筒部３７に内嵌されている。第２嵌合筒部４３の外周面と内側連結筒部３７の内周面との間は、封止されている。
【００３６】
保持筒部４６は、天壁部４５の径方向内縁部から上側に延びている。保持筒部４６は、底部を有し、上側に開口する筒状である。保持筒部４６は、容器軸Ｏと同軸に配置されている。保持筒部４６の内面は、下側に窪む略半球面状である。保持筒部４６の内部には、回転塗布体４２が回転可能に保持されている。保持筒部４６の内径は、回転塗布体４２の中心よりも下側の部分においては上側に向かうに従って漸次拡径し、回転塗布体４２の中心よりも上側の部分においては上側に向かうに従って漸次縮径している。
保持筒部４６は、内容器２２の内部に連通する連通口４６ａを有する。本実施形態において連通口４６ａは、保持筒部４６の底部の中央に設けられ、保持筒部４６の底部を容器軸Ｏ方向に貫通している。
【００３７】
保持筒部４６の内面のうち連通口４６ａの周縁部には、第１シール部４６ｂが形成されている。第１シール部４６ｂは、回転塗布体４２を下側から支持する受けリブであり、例えば周方向の全周に亘って環状に形成されている。本実施形態において第１シール部４６ｂは、容器軸Ｏと同軸に配置された円環状である。
保持筒部４６の内面のうち上側の端部は、第２シール部４６ｃである。第２シール部４６ｃは、回転塗布体４２の中心よりも上側に位置する。第２シール部４６ｃは、回転塗布体４２の外面のうち回転塗布体４２の中心よりも上側の部分に接触している。これにより、第２シール部４６ｃによって、回転塗布体４２を上側から押さえることができ、回転塗布体４２が保持筒部４６から上側に離脱することを阻止できる。
【００３８】
回転塗布体４２は、外面が滑らかな球体である。回転塗布体４２は、保持筒部４６の内部に回転可能に保持されると共に、一部が保持筒部４６の外部に突出し中栓４０の外部に露出している。本実施形態において回転塗布体４２は、上端部が保持筒部４６から上側に突出している。
なお、本明細書において「回転塗布体の一部が中栓の外部に露出する」とは、容器本体に装着された状態の中栓を外部から視認した際に、回転塗布体の一部が視認可能であることを含む。本実施形態においては、外キャップ５０を外した状態において、回転塗布体４２の一部が塗布容器１０の外部に露出し、視認可能であればよい。
【００３９】
外キャップ５０は、下側に開口する有蓋の筒状である。本実施形態において外キャップ５０は、容器軸Ｏと同軸に配置された円筒状である。外キャップ５０は、容器本体２０の口部２０ａに内キャップ３０を介して着脱自在に装着されている。なお、以下の説明においては、特に断りのない限り、外キャップ５０が容器本体２０に装着されている状態について、各部の説明等を行う。
【００４０】
外キャップ５０は、中栓４０を覆っている。外キャップ５０は、中栓４０の上側を覆う蓋部５１と、蓋部５１の径方向外周縁部から下側に延びる筒部５２と、蓋部５１の下面から下側に突出する突起部５３と、を備えている。
筒部５２は、外側周壁部３１の上側部分の径方向外側に位置し、外側周壁部３１の上側部分に螺着されている。筒部５２は、中栓４０の径方向外側、および外側周壁部３１の上側部分の径方向外側を覆っている。筒部５２の下端部は、外側周壁部３１の下側部分の上側に隙間を介して対向して配置されている。
【００４１】
突起部５３は、容器軸Ｏと同軸に配置された円環状である。突起部５３は、回転塗布体４２の上端部に接触している。突起部５３は、回転塗布体４２を下側に押圧し、第１シール部４６ｂに押し付けている。これにより、回転塗布体４２は、外キャップ５０により容器軸Ｏ方向に沿った容器本体２０の内部側に押圧されて保持筒部４６の内面に対して押し付けられ、連通口４６ａを閉塞する。
【００４２】
塗布容器１０は、内キャップ３０に装着された第１弁体６０および第２弁体７０をさらに備えている。
第１弁体６０は、第２円環状部３５の上面に設けられている。第１弁体６０は、内容器２２の内部から保持筒部４６の内部への内容物の移動を許容し、保持筒部４６の内部から内容器２２の内部への内容物の移動を阻止する逆止弁である。第１弁体６０は、第１弁本体６１と、第１固定部６２と、弾性アーム６３と、を備えている。第１弁本体６１は、第２円環状部３５の上面に離反可能に載置されている。第１弁本体６１は、例えば容器軸Ｏと同軸に配置された円板状である。第１弁本体６１は、第２円環状部３５に形成された内容物導入孔３５ａを開放自在に閉塞している。
【００４３】
第１固定部６２は、第１弁本体６１の径方向外側に位置する。第１固定部６２は、容器軸Ｏと同軸に配置された円環状である。内側連結筒部３７に内嵌され、第２円環状部３５の上面に固定されている。
弾性アーム６３は、第１弁本体６１と第１固定部６２とを連結している。弾性アーム６３は、周方向に沿って複数（例えば、３つ）設けられている。弾性アーム６３は、例えば周方向に延びるように形成されることで適度なばね性が確保されていると共に、径方向の内端部が第１弁本体６１の径方向外周縁部に接続され、かつ径方向の外端部が第１固定部６２の径方向内周縁部に接続されている。弾性アーム６３は、内容器２２内の内容物が内容物導入孔３５ａを通過する際に、第１弁本体６１を上方に移動させるように弾性変形して、第１弁本体６１を第２円環状部３５の上面から離反させる。これにより、内容物導入孔３５ａが開放される。
なお、弾性アーム６３の数は３つに限定されない。また、第１弁体６０としては、内容器２２の内部から保持筒部４６の内部への内容物の移動を許容し、保持筒部４６の内部から内容器２２の内部への内容物の移動を阻止する逆止弁であればよく、上記構成以外の弁構造としてもよい。
【００４４】
第１弁体６０が内容物導入孔３５ａを開放した状態において、内容物導入孔３５ａと連通口４６ａとは、連通する。これにより、連通口４６ａは、第２嵌合筒部４３の内部、内側連結筒部３７の内部、および内容物導入孔３５ａを介して、内容器２２の内部に連通する。一方、第１弁体６０が内容物導入孔３５ａを閉塞した状態において、内容物導入孔３５ａと連通口４６ａとは、遮断される。すなわち、第１弁体６０は、連通口４６ａを介した内容器２２の内部と保持筒部４６の内部との連通およびその遮断を切り替える。
【００４５】
第２弁体７０は、内側連結筒部３７の外周面に設けられている。第２弁体７０は、第２弁本体７１と、第２固定部７２と、を備えている。
第２固定部７２は、容器軸Ｏと同軸に配置された円筒状である。第２固定部７２は、内側連結筒部３７に外嵌されて固定されている。第２固定部７２の下端部は、支持凸部３８によって下側から支持されている。第２固定部７２は、第２外気導入孔４５ａよりも径方向内側に位置する。
【００４６】
第２弁本体７１は、第２固定部７２の外周面から径方向外側に延びている。第２弁本体７１は、径方向外端部が自由端とされた弾性変形可能な環状に形成されている。第２弁本体７１は、容器軸Ｏと同軸に配置された円環状である。第２弁本体７１の径方向外端部は、全周に亘って、天壁部４５の下面のうち第２外気導入孔４５ａよりも径方向外側の部分に下方から離反可能に接触している。これにより、第２弁本体７１は、中栓本体４１の内側から第２外気導入孔４５ａを開放自在に閉塞している。
【００４７】
第２弁体７０が第２外気導入孔４５ａを開放した状態において、第１外気導入孔３２ａと第２外気導入孔４５ａとは、中栓本体４１の内部を介して連通する。これにより、第２外気導入孔４５ａは、中栓４０の外部と第１外気導入孔３２ａとを連通させる。中栓４０の外部と第１外気導入孔３２ａとが連通することで、吸気孔２１ｂ、第１外気導入孔３２ａおよび第２外気導入孔４５ａを介して、容器本体２０の外部と外容器２１の内部とが連通する。
【００４８】
一方、第２弁体７０が第２外気導入孔４５ａを閉塞した状態において、第１外気導入孔３２ａと第２外気導入孔４５ａとは、遮断される。すなわち、第２弁体７０は、第１外気導入孔３２ａと第２外気導入孔４５ａとの連通およびその遮断を切り替える。これにより、第２弁体７０は、吸気孔２１ｂを介した容器本体２０の外部と外容器２１の内部との連通およびその遮断を切り替える。
【００４９】
第２弁体７０は、第２外気導入孔４５ａを通じた外部から中栓本体４１内への空気の流入を許容し、かつ第２外気導入孔４５ａを通じた中栓本体４１内から外部への空気の流出を規制する逆止弁として機能する。第２外気導入孔４５ａを通じて外部から中栓本体４１内に流入した空気は、内キャップ３０に形成された第１外気導入孔３２ａおよび外容器２１に形成された吸気孔２１ｂを通じて外容器２１と内容器２２との間に流入する。
【００５０】
次に、塗布容器１０の使用方法について説明する。まず、塗布容器１０の使用者は、外キャップ５０を外す。これにより、回転塗布体４２の外キャップ５０による押圧が解除され、連通口４６ａから保持筒部４６の内部への内容物の流入が可能となる。その後、使用者は、外容器２１を径方向内側にスクイズ変形（弾性変形）させる。これにより、内容器２２が外容器２１と共に径方向内側に変形して減容するので、内容器２２の内圧が上昇する。すると、第１弁本体６１が第２円環状部３５の上面から上方に向けて離反するので、内容物導入孔３５ａが開放されて連通口４６ａと内容器２２の内部とが、内容物導入孔３５ａ、内側連結筒部３７の内部、および第２嵌合筒部４３の内部を通じて連通する。これにより、連通口４６ａを通じて、内容器２２の内部に収容された内容物が保持筒部４６の内部に流入される。したがって、内容物が回転塗布体４２の下端部の外面に付着する。この状態で、保持筒部４６から突出する回転塗布体４２の一部を図示しない被塗布部に押し当てながら、該被塗布部に沿って移動させ、回転塗布体４２を回転させる。これにより、内容物を回転塗布体４２の突出した部分における外面に行き渡らすことができ、回転塗布体４２の外面を介して被塗布部に内容物を塗布することができる。
【００５１】
外容器２１のスクイズ変形を停止または解除することで、内容器２２の内圧の上昇が停止または内容器２２の内圧が低下すると、第１弁本体６１が弾性アーム６３の復元変形によって元の状態に戻り、第２円環状部３５の上面に着座する。これにより、内容物導入孔３５ａが再び閉塞され、連通口４６ａと内容器２２の内部との連通が遮断される。そのため、内容器２２の内部から保持筒部４６の内部への内容物の流入が停止される。
【００５２】
また、外容器２１のスクイズ変形を解除することで、外容器２１が復元変形し始めるので、外容器２１と内容器２２との間に負圧が生じる。すると、この負圧が吸気孔２１ｂおよび第１外気導入孔３２ａを通じて第２弁体７０に作用し、第２弁本体７１の径方向外端部が天壁部４５の下面から下方に離間する。これにより、第２外気導入孔４５ａが開放されて第２外気導入孔４５ａを通じて外部から中栓本体４１の内部に空気が流入し、この空気が第１外気導入孔３２ａ、内キャップ３０の内部、および吸気孔２１ｂを通じて、外容器２１と内容器２２との間に流入する。その結果、外容器２１が復元変形したとしても、内容器２２の外面を外容器２１の内面から離間させ、内容器２２が減容変形したままの状態に保つことができる。これにより、内容器２２は、内容物の減少に伴い減容変形する。
【００５３】
なお、使用者は、外容器２１がスクイズ変形した状態において回転塗布体４２を介した内容物の塗布を行ってもよいし、外容器２１をスクイズ変形させた後、外容器２１が復元変形した後に回転塗布体４２を介した内容物の塗布を行ってもよい。
【００５４】
以上に説明したように、本実施形態によれば、内容器２２が内容物の減少に伴い減容変形する。そのため、内容物が減少しても、内容器２２内に空気が流入することが抑制され、内容器２２内が減少した容積に応じて内容物で満たされた状態を維持できる。これにより、内容物の減少度合いによらず、外容器２１のスクイズ変形によって内容器２２を僅かにでも変形させれば、内圧の上昇によって容易に内容物を内容器２２から吐出させることができる。したがって、使用者は、内容器２２内の内容物を、連通口４６ａを介して容易に保持筒部４６の内部に送ることができる。その結果、使用者は、例えば塗布容器１０を倒立姿勢としなくても、内容物の塗布を容易に行うことができる。これにより、本実施形態によれば、姿勢によらず内容物を塗布しやすい塗布容器１０が得られる。本実施形態の塗布容器１０は、例えば、正立姿勢、倒立姿勢、および横向きの姿勢等において、内容物を塗布できる。
また、内容器２２内に空気が流入することを抑制できるため、空気による内容物の劣化を抑制することができる。
【００５５】
また、本実施形態によれば、連通口４６ａを介した内容器２２の内部と保持筒部４６の内部との連通およびその遮断を切り替える第１弁体６０が設けられている。そして、第１弁体６０は、内容器２２の内部から保持筒部４６の内部への内容物の移動を許容し、保持筒部４６の内部から内容器２２の内部への内容物の移動を阻止する逆止弁である。そのため、外容器２１をスクイズ変形させたときには、内容器２２の内部から内容物を吐出させることができる一方で、外容器２１が復元変形するときには、第１弁体６０によって内容器２２の内部に空気が流入することをより抑制することができる。これにより、内容器２２の内部に内容物が満たされた状態をより好適に維持することができ、内容物をより塗布しやすくできる。また、内容物が劣化することをより抑制できる。
また、第１弁体６０によって、内容器２２内から一度吐出された内容物が再び内容器２２内に戻ることを阻止できる。そのため、内容器２２内の内容物が劣化することをより抑制できる。
【００５６】
また、本実施形態によれば、吸気孔２１ｂを介した容器本体２０の外部と外容器２１の内部との連通およびその遮断を切り替える第２弁体７０が設けられている。そして、第２弁体７０は、外容器２１がスクイズ変形するときに容器本体２０の外部と外容器２１の内部とを遮断し、スクイズ変形した外容器２１が復元変形するときに容器本体２０の外部と外容器２１の内部とを連通させる。そのため、外容器２１をスクイズ変形させるときには、外容器２１と内容器２２との間の空気が吸気孔２１ｂを介して容器本体２０の外部に流出することを阻止できる。これにより、外容器２１をスクイズ変形させるときに、外容器２１と内容器２２との間の空気の圧力を保持することができる。したがって、内容器２２が減容変形して外容器２１の内面から大きく離れた場合であっても、外容器２１を大きく変形させることなく、空気を介して内容器２２を容易に変形させることができる。一方、外容器２１が復元変形するときには、容器本体２０の外部の空気を外容器２１と内容器２２との間に流入させることができるため、内容器２２が減容変形した状態を好適に維持することができる。
【００５７】
また、本実施形態によれば、吸気孔２１ｂは、外容器２１の口部２１ａに形成され、内キャップ３０に形成された第１外気導入孔３２ａと中栓４０に形成された第２外気導入孔４５ａとを介して、中栓４０の外部と連通させる。これにより、中栓４０に形成された第２外気導入孔４５ａから空気を外容器２１と内容器２２との間に流入させることができる。したがって、使用者が塗布容器１０を使用する際に、例えば使用者の手等によって第２外気導入孔４５ａが塞がれることを抑制できる。そのため、外容器２１と内容器２２との間に好適に空気を流入させやすく、内容器２２を減容変形したままの状態に好適に維持しやすい。
【００５８】
また、本実施形態によれば、回転塗布体４２は、外キャップ５０により容器軸Ｏ方向に沿った容器本体２０の内部側に押圧されて保持筒部４６の内面に対して押し付けられ、連通口４６ａを閉塞する。そのため、外キャップ５０を装着することにより、連通口４６ａから保持筒部４６の内部に内容物が漏れることを抑制できる。また、内容物が塗布容器１０の外部に漏れることを抑制できる。
【００５９】
＜第２実施形態＞
本実施形態は、第１実施形態に対して、吸気孔の位置が異なる。なお、上述した実施形態と同様の構成については、適宜同一の符号を付す等により説明を省略する場合がある。
図２に示すように、本実施形態の塗布容器１１０は、容器本体１２０と、内キャップ１３０と、中栓１４０と、外キャップ５０と、底キャップ１８０と、第１弁体１６０と、第２弁体１７０と、を備えている。
【００６０】
本実施形態の容器本体１２０において、胴部１２０ｃの下部は、外径が小さくなっている。容器本体１２０は、外容器１２１と、内容器２２と、を備えている。
本実施形態において外容器１２１の底部１２１ｄには、陥没凹部１２１ｅと、一対の保持リブ１２１ｇと、吸気孔１２１ｆと、が形成されている。
陥没凹部１２１ｅは、上側に窪んでいる。図示は省略するが、陥没凹部１２１ｅの外形は、下側から視て容器軸Ｏと同軸に配置された円形状である。
【００６１】
一対の保持リブ１２１ｇは、内容器２２の底部を挟み込んで一体的に保持している。保持リブ１２１ｇは、陥没凹部１２１ｅに位置する。保持リブ１２１ｇは、陥没凹部１２１ｅの底面から下方に突出している。保持リブ１２１ｇのリブ高さは、陥没凹部１２１ｅ内に収まる程度とされている。保持リブ１２１ｇは、陥没凹部１２１ｅの側面から径方向に沿って延びている。
【００６２】
保持リブ１２１ｇは、例えば、ブロー成形により外容器１２１と内容器２２とを積層剥離可能状態で成形した後、外容器１２１の底部の一部が内容器２２の底部の一部を径方向に挟み込んだ状態において、外容器１２１の底部の一部同士を金型のピンチオフ部で挟み込んで接着することで形成される。この場合、保持リブ１２１ｇは、金型のパーティングライン上に形成される。
【００６３】
吸気孔１２１ｆは、陥没凹部１２１ｅに位置する。吸気孔１２１ｆは、外容器１２１の底部１２１ｄを容器軸Ｏ方向に貫通している。吸気孔１２１ｆは、保持リブ１２１ｇの延長線上に沿って形成されたスリットである。吸気孔１２１ｆは、外容器１２１の外部と内部とを連通させている。
【００６４】
内キャップ１３０は、外側周壁部３１および内側周壁部３２の代わりに、容器軸Ｏと同軸に配置された円筒状の周壁部１３２を備えている。周壁部１３２は、アンダーカット嵌合により容器本体１２０の口部に装着されている。周壁部１３２の容器軸Ｏ方向の中央部からは、第２円環状部３５が径方向内側に延びている。周壁部１３２の上側の端部は、内側連結筒部３７よりも上側に位置する。周壁部１３２の外周面には、外キャップ５０が着脱自在に螺着されている。本実施形態において外キャップ５０の下端部は、容器本体１２０の肩部１２０ｂの上側に隙間を空けて対向して配置されている。
内キャップ１３０は、第１実施形態と異なり、第１円環状部３３、外側連結筒部３４、および支持凸部３８を備えていない。内キャップ１３０には、第１実施形態と異なり、第１外気導入孔３２ａが形成されていない。
【００６５】
中栓１４０における中栓本体１４１は、天壁部４５の代わりに、接触部１４５を備えている。接触部１４５は、保持筒部４６から径方向外側に突出している。接触部１４５は、容器軸Ｏと同軸に配置された円環状である。接触部１４５は、周壁部１３２の上端部に接触している。
中栓本体１４１における第２嵌合筒部１４３は、内側連結筒部３７と周壁部１３２との径方向の間に嵌合されている。中栓本体１４１は、第１実施形態と異なり、装着筒部４４を備えていない。中栓本体１４１には、第１実施形態と異なり、第２外気導入孔４５ａが形成されていない。
【００６６】
底キャップ１８０は、上側に開口する有底の円筒状である。底キャップ１８０は、外容器１２１の底部１２１ｄを覆って容器本体１２０に装着されている。本実施形態において底キャップ１８０は、胴部１２０ｃの下部に螺着されている。底キャップ１８０は、底板部１８１と、外筒部１８２と、内筒部１８３と、を備えている。
底板部１８１は、外容器１２１の底部１２１ｄの下側に位置する。底板部１８１は、容器軸Ｏと同軸に配置された円板状である。底板部１８１には、底板部１８１の下面から上側に窪む凹部１８１ａと、凹部１８１ａの底面に形成された第３外気導入孔１８１ｂと、が形成されている。第３外気導入孔１８１ｂは、下側から視て、容器軸Ｏと同軸に配置された円形状である。第３外気導入孔１８１ｂは、底板部１８１を容器軸Ｏ方向に貫通している。
【００６７】
外筒部１８２は、底板部１８１の径方向外周縁部から上側に延びている。外筒部１８２は、胴部１２０ｃの下部に螺着されている。外筒部１８２の内周面と胴部１２０ｃの下部の外周面との間は、封止されている。
内筒部１８３は、底板部１８１の上面から上側に延びている。内筒部１８３は、外筒部１８２の径方向内側に位置する。内筒部１８３の上端部は、外筒部１８２の上端部よりも下側に位置する。内筒部１８３の上端部は、外容器１２１の底部１２１ｄの下側に隙間を空けて対向して配置されている。
【００６８】
第１弁体１６０は、第１固定部１６２が容器軸Ｏ方向に延びた円筒状である点を除いて、第１実施形態の第１弁体６０と同様である。
本実施形態において第２弁体１７０は、底キャップ１８０に装着されている。第２弁体１７０は、吸気孔１２１ｆと第３外気導入孔１８１ｂとの連通およびその遮断を切り替える。第２弁体１７０の形状は、第１実施形態の第１弁体６０の形状と同様である。第２弁体１７０の第２弁本体１７１は、底板部１８１の上面に離反可能に載置されている。第２弁本体１７１は、第３外気導入孔１８１ｂを開放自在に閉塞している。
【００６９】
第２弁体１７０は、外容器１２１がスクイズ変形するときに容器本体１２０の外部と外容器１２１の内部とを遮断し、スクイズ変形した外容器１２１が復元変形するときに容器本体１２０の外部と外容器１２１の内部とを、第３外気導入孔１８１ｂおよび吸気孔１２１ｆを介して連通させる。
より詳細には、外容器１２１をスクイズ変形させる際には、第２弁本体１７１は、第３外気導入孔１８１ｂを閉塞している。そのため、第１実施形態において述べたのと同様に、外容器１２１をスクイズ変形させるときに、外容器１２１と内容器２２との間の空気の圧力を保持することができる。したがって、空気を介して内容器２２を容易に変形させることができる。
【００７０】
一方、外容器１２１が復元変形する際には、外容器１２１が復元変形することで外容器１２１と内容器２２との間に生じる負圧によって、第２弁本体１７１が底板部１８１から上方に離間し、第３外気導入孔１８１ｂが開放される。これにより、第３外気導入孔１８１ｂと吸気孔１２１ｆとが連通され、底キャップ１８０の外部の空気（塗布容器１１０の外部の空気）が、第３外気導入孔１８１ｂおよび吸気孔１２１ｆを通じて、外容器１２１と内容器２２との間に流入する。したがって、内容器２２が減容変形した状態を好適に維持することができる。
なお、塗布容器１１０のその他の構成は、第１実施形態の塗布容器１０の構成と同様である。
【００７１】
本実施形態によれば、吸気孔１２１ｆが外容器１２１の底部１２１ｄに形成されており、底部１２１ｄを覆う底キャップ１８０に、底キャップ１８０の外部と吸気孔１２１ｆとを連通する第３外気導入孔１８１ｂが形成されている。そのため、内キャップ１３０および中栓１４０に外気導入孔を形成することなく、かつ、第２弁体１７０を内キャップ１３０または中栓１４０に設けることなく、外容器１２１と内容器２２との間に空気を流入させることができる。これにより、内キャップ１３０の形状および中栓１４０の形状を、例えば第１実施形態のような場合に比べて、簡単化しやすい。したがって、内キャップ１３０および中栓１４０を径方向に小型化しやすく、塗布容器１１０全体の外径を小さくすることができる。
【００７２】
＜第３実施形態＞
本実施形態は、第２実施形態に対して、連結筒２９０が設けられている点が異なる。なお、上述した実施形態と同様の形態については、適宜同一の符号を付す等により説明を省略する場合がある。
図３に示すように、本実施形態の塗布容器２１０は、容器本体１２０と、内キャップ１３０と、中栓２４０と、外キャップ２５０と、第１弁体１６０と、連結筒２９０と、を備えている。また、図３において図示は省略するが、塗布容器２１０は、第２実施形態の塗布容器１１０と同様に、底キャップ１８０と、第２弁体１７０と、を備えている。
【００７３】
連結筒２９０は、内キャップ１３０を介して容器本体１２０の口部に装着されている。連結筒２９０は、両端が開口する筒状である。連結筒２９０は、固定部２９１と、傾斜部２９２と、を備えている。
固定部２９１は、容器軸Ｏと同軸に配置された円筒状である。固定部２９１は、内側連結筒部３７と周壁部１３２との径方向の間に嵌合されている。
傾斜部２９２は、固定部２９１の上端部から、斜め上方に延びる円筒状である。すなわち、傾斜部２９２は、容器軸Ｏ方向に対して傾いた方向に延びている。本実施形態において傾斜部２９２の傾きは、例えば、容器軸Ｏに対して４５°程度である。以下の説明においては、傾斜部２９２の中心軸を傾斜軸Ｏ２と呼ぶ。
【００７４】
本実施形態において中栓２４０は、傾斜部２９２の先端部（上端部）に取り付けられている。すなわち、中栓２４０は、連結筒２９０および内キャップ１３０を介して、容器本体１２０の口部に装着されている。これにより、中栓２４０は、容器軸Ｏに対して傾いて配置されており、傾斜軸Ｏ２と同軸に配置されている。中栓本体２４１の第２嵌合筒部２４３は、傾斜部２９２の上端部に内嵌されている。中栓本体２４１の接触部２４５は、連結筒２９０の上端部に接触している。
本実施形態において外キャップ２５０は、連結筒２９０に着脱自在に螺着されている。すなわち、外キャップ２５０は、連結筒２９０および内キャップ１３０を介して、容器本体１２０の口部に着脱自在に装着されている。これにより、外キャップ２５０は、容器軸Ｏに対して傾いて配置されており、傾斜軸Ｏ２と同軸に配置されている。
なお、塗布容器２１０のその他の構成は、第２実施形態の塗布容器１１０の構成と同様である。
【００７５】
本実施形態によれば、傾斜部２９２を備える連結筒２９０が設けられ、傾斜部２９２の先端部に中栓２４０が取り付けられている。そのため、中栓２４０を容器軸Ｏに対して傾けて配置することができる。これにより、塗布容器２１０を傾けることなく、回転塗布体４２の一部を図示しない被塗布部に押し当てやすくできる。したがって、内容物をより塗布しやすくできる。
【００７６】
なお、上述した各実施形態の塗布容器においては、下記の構成を採用することもできる。吸気孔は、外容器に形成されるならば、いずれの位置に形成されてもよい。吸気孔は、例えば、外容器の胴部に形成されてもよい。内容器は、内容物の減少に伴い減容変形可能であれば、外容器から剥離可能な構造としなくてもよい。第１実施形態においては、第１弁体６０と第２弁体７０とが一体成形されてもよい。
【００７７】
第１弁体は、設けられなくてもよい。この場合、塗布容器の部品点数を低減することができる。また、この場合、例えば、内キャップが設けられなくてもよい。これにより、さらに塗布容器の部品点数を低減できる。
第２弁体は、設けられなくてもよい。この場合、塗布容器の部品点数を低減することができる。また、第１実施形態において第２弁体７０を設けない場合には、第２外気導入孔４５ａから吸気孔２１ｂまでの間の流路の少なくとも一部を絞る構成としてもよい。このような構成とすることで、外容器２１をスクイズ変形させた際に、外容器２１と内容器２２との間の空気が外部に抜けにくく、外容器２１と内容器２２との間の空気の圧力を保持することができる。したがって、第２弁体７０を設けずとも内容物の塗布を容易にすることができる。
また、第２弁体を設けない場合、上述した第２実施形態および第３実施形態においては、底キャップ１８０が設けられなくてもよい。これにより、さらに塗布容器の部品点数を低減できる。また、第２実施形態および第３実施形態において第２弁体１７０を設けない場合には、吸気孔１２１ｆの開口面積を十分に小さくすることで、外容器１２１をスクイズ変形させた際に、外容器１２１と内容器２２との間の空気が外部に抜けにくく、外容器２１と内容器２２との間の空気の圧力を保持できる。これにより、第２弁体１７０を設けずとも内容物の塗布を容易にすることができる。
【００７８】
第３実施形態において傾斜部２９２は、容器軸Ｏ方向に対して傾いた方向に延びるならば、特に限定されない。傾斜部２９２の容器軸Ｏに対する角度は、例えば、９０°であってもよい。傾斜部２９２は、固定部２９１から斜め下方に延びてもよい。
また、各実施形態においてアンダーカット嵌合によって連結された部分同士は、互いに螺着されてもよい。各実施形態において螺着された部分同士は、アンダーカット嵌合によって連結されてもよい。
なお、本明細書において説明した各構成は、相互に矛盾しない範囲内において、適宜組み合わせることができる。
【符号の説明】
【００７９】
１０，１１０，２１０…塗布容器、２０，１２０…容器本体、２０ａ…口部、２１，１２１…外容器、２１ｂ，１２１ｆ…吸気孔、２２…内容器、３０，１３０…内キャップ、３２ａ…第１外気導入孔、４０，１４０，２４０…中栓、４２…回転塗布体、４５ａ…第２外気導入孔、４６…保持筒部、４６ａ…連通口、５０，２５０…外キャップ、６０，１６０…第１弁体、７０，１７０…第２弁体、１２１ｄ…底部、１８０…底キャップ、１８１ｂ…第３外気導入孔、２９０…連結筒、２９２…傾斜部、Ｏ…容器軸
【図１】
2019209973.tif 000003
【図２】
2019209973.tif 000004
【図３】
2019209973.tif 000005